(57)【特許請求の範囲】
【請求項１】
第１の色に対応する第１の波長範囲内の光を発するように動作可能な第１の光源と、
第２の色に対応する第２の波長範囲内の光を発するように動作可能な第２の光源と、
前記第１の光源及び前記第２の光源の各々と機能的に結合されるコントローラと、
を備え、
前記コントローラは、２ミリ秒から２０ミリ秒の範囲内における動作期間内のデューティサイクルで、前記第１の光源及び前記第２の光源の各々を交互に動作させ、
前記コントローラは、前記第１の光源及び前記第２の光源の動作間におけるレイテンシ期間を含み、
前記第１の光源の動作の期間及び前記第２の光源の動作の期間の合計の間における経過時間は、視覚皮質の応答時間より短く、
前記第１の光源の動作の期間及び前記第２の光源の動作の期間の各々は、複数の生理神経細胞の応答時間より長い、
生理神経圧縮が低減された光を生成するシステム。
【請求項２】
前記第１の光源及び前記第２の光源は、
赤及び緑の反対色のペアと、
黄色及び青色の反対色のペアと
からなるグループから選択される反対色のペアを含む、
請求項１に記載のシステム。
【請求項３】
前記レイテンシ期間は、５０ナノ秒以上である、
請求項１または２に記載のシステム。
【請求項４】
前記第１の光源及び前記第２の光源によって発せられた前記光は、感知された明るさを有する組み合わせ光として、観察者によって感知可能であり、
前記コントローラは、前記第１の光源及び前記第２の光源が発する順序を修正することによって、前記組み合わせ光の前記感知された明るさを制御する、
請求項１から３のいずれか１項に記載のシステム。
【請求項５】
前記コントローラは、
前記第１の光源及び前記第２の光源の少なくとも１つの動作期間を低減させることと、
前記第１の光源及び前記第２の光源の動作間におけるレイテンシ期間を増大させること
とのうちの少なくとも１つによって、
前記組み合わせ光の前記感知された明るさを制御する、
請求項４に記載のシステム。
【請求項６】
前記システムの前記感知された明るさは、
【数１】
0006320507.tif 000004
におおよそ等しく、
Ｂは、感知された明るさであり、
Ｌは、輝度である、
請求項４または５に記載の照明システム。
【請求項７】
主に複数の長錐状体細胞において応答を生成する光を発するように構成される第１の光源と、
主に複数の中間錐状体細胞において応答を生成する光を発する第２の光源と、
主に複数の短錐状体細胞において応答を生成する光を発する第３の光源と、
前記第１の光源、前記第２の光源及び前記第３の光源の各々と機能的に結合されるコントローラと、
を備え、
前記コントローラは、前記第１の光源、前記第２の光源及び前記第３の光源のうち少なくとも２つを交互に動作させ、
前記コントローラは、前記少なくとも２つの光源を、２ミリ秒から２０ミリ秒の範囲内における動作期間内の期間にわたって、交互に光を発するように動作させ、
前記少なくとも２つの光源の動作の期間の合計の間における経過時間は、視覚皮質の応答時間より短く、
前記少なくとも２つの光源の動作の期間の各々は、複数の生理神経細胞の応答時間より長い、
生理神経圧縮が低減された光を生成するシステム。
【請求項８】
前記コントローラは、
前記第１の光源、前記第２の光源及び前記第３の光源のうち少なくとも２つの動作間にレイテンシ期間を含む、
請求項７に記載のシステム。
【請求項９】
前記レイテンシ期間は、５０ナノ秒以上である、
請求項８に記載のシステム。
【請求項１０】
前記第１の光源は、赤色を有する光を発し、
前記第２の光源は、緑色を有する光を発し、
前記第３の光源は、青色を有する光を発する、
請求項７から９のいずれか１項に記載のシステム。
【請求項１１】
前記コントローラは、前記第１の光源及び前記第２の光源の各々を、紫色の組み合わせ光を交互に生成するように動作させ、
前記コントローラは、前記第１の光源及び前記第３の光源の各々を、黄色の組み合わせ光を交互に生成するように動作させ、
前記コントローラは、前記第２の光源及び前記第３の光源を、淡青色である組み合わせ光を交互に生成するように動作させる、
請求項７から１０のいずれか１項に記載のシステム。
【請求項１２】
前記コントローラは、前記第１の光源、前記第２の光源及び前記第３の光源を、白色光を順次生成するように動作させ、
前記第１の光源、続いて前記第２の光源、続いて前記第３の光源の一連の動作をさせる期間は、前記動作期間の範囲内である、
請求項７から１１のいずれか１項に記載のシステム。
【請求項１３】
前記コントローラは、前記第１の光源、前記第２の光源及び前記第３の光源を、別個に複数の可変な時間長にわたって動作させ、
前記コントローラは、約６０００ケルビン未満の色温度を有する組み合わせ光を生成するべく、前記第１の光源及び前記第２の光源の少なくとも１つを、前記第３の光源より長い時間長にわたって動作させ、
前記コントローラは、約６０００ケルビンより高い色温度を有する組み合わせ光を生成するべく、前記第３の光源を、前記第１の光源より長い時間長にわたって動作させる、
請求項７から１２のいずれか１項に記載のシステム。
【請求項１４】
主に複数の長錐状体細胞において応答を生成する光を発する第１の光源と、
主に複数の中間錐状体細胞において応答を生成する光を発する第２の光源と、
主に複数の短錐状体細胞において応答を生成する光を発する第３の光源と、
前記第１の光源、前記第２の光源及び前記第３の光源の各々と機能的に結合されるコントローラと、
を備える照明システムを用いて生理神経圧縮が低減された光を発する方法であって、
前記第１の光源、前記第２の光源及び前記第３の光源のうちの１つを、第１の期間にわたって動作させる段階と、
前記第１の光源及び前記第２の光源のいずれも、前記第１の期間及び第２の期間の間のレイテンシ期間にわたって動作させない段階と、
前記第１の光源、前記第２の光源及び前記第３の光源のうち、前記第１の期間の間動作させられる光源の反対色である１つを、前記第２の期間にわたって動作させる段階と、
を備え、
前記第１の期間、前記第２の期間及び前記レイテンシ期間の合計の間における経過時間は、２０ミリ秒未満であり、
前記第１の期間及び前記第２の期間の各々の間における経過時間は、２ミリ秒より長く、
前記方法は、
前記第１の光源、前記第２の光源及び前記第３の光源のうち、前記第１の期間及び前記第２の期間のいずれかの間、動作させられなかった１つを、第３の期間にわたって動作させる段階をさらに備え、
前記第１の期間、前記第２の期間及び前記第３の期間の合計の間における経過時間は、視覚皮質の応答時間より短く、
前記第１の期間、前記第２の期間及び前記第３の期間の各々は、複数の生理神経細胞の応答時間より長い、
方法。
【請求項１５】
前記レイテンシ期間は、５０ナノ秒以上である、
請求項１４に記載の方法。
【請求項１６】
前記レイテンシ期間は、第１のレイテンシ期間であり、
前記第２の期間及び前記第３の期間の間における第２のレイテンシ期間にわたって、前記第１の光源、前記第２の光源及び前記第３の光源のうちいずれも動作させない段階をさらに備え、
前記第１の期間、前記第２の期間、前記第３の期間、前記第１のレイテンシ期間及び前記第２のレイテンシ期間の合計の間における経過時間は、２０ミリ秒未満であり、
前記第１の期間、前記第２の期間及び前記第３の期間の各々は、２ミリ秒より長い、
請求項１４または１５に記載の方法。
【請求項１７】
前記第１のレイテンシ期間及び前記第２のレイテンシ期間の各々は、５０ナノ秒以上である、
請求項１６に記載の方法。
【発明の詳細な説明】
【技術分野】
【０００１】
本発明は、生理神経圧縮が低減された光を与える複数のシステム及び複数の方法に関する。
【背景技術】
【０００２】
光源によって発せられた光の合計量、または放射束は、観察者に十分に感知されることはなく、そのことが、発せられた光の実際の明るさと感知された明るさとの間の差異をもたらす。感知された明るさが低減されることは、多数の要因に起因する。第１に、人間の目は、感知される光波長に応じて異なるレベルの感度を有する。しかしながら、感知された明るさが低減される他の理由は、生理神経圧縮と称される生物学的現象である。
【０００３】
観察者の目は、複数の桿体細胞及び複数の錐状体細胞を含む数千個の光受容細胞を備える。さらに、３つのタイプ、すなわち、長い、中間及び短い錐状体細胞が存在する。複数の錐状体細胞の各タイプは、光波長の異なる範囲により応答する。長錐状体細胞は、約５６４−５８０ナノメートル、中間錐状体細胞は約５３４−５４５ナノメートル、短錐状体細胞は約４２０−４４０ナノメートルのピーク応答性を有する。生理神経圧縮は、錐状体細胞に入射した光が２つまたはそれより多くのタイプの錐状体細胞における複数の応答を生成する２つまたはそれより多くの光波長を含む場合に生じる。これが生じた場合、錐状体細胞と通信を行う生理神経細胞は、脳の視覚皮質に送信されるべき信号に視覚的情報を一体化し、次に、さらに脳の視覚皮質は、視覚的情報を解釈して観察者に視覚的情報をコヒーレントに理解させる。生理神経細胞が１つのタイプより多くの錐状体細胞からの情報を一度に解釈した場合、これは、受信された視覚的情報の合計の感知された明るさを低減させる。
【０００４】
例えば、長錐状体細胞が一単位の標準化された明るさを有する視覚的情報を与え、短錐状体細胞も一単位の標準化された明るさを有する視覚的情報を与えた場合、生理神経細胞は、一単位よりも小さい明るさを有する視覚的情報を視覚皮質に送信する。このように、現在の照明装置は動作する。従って、生理神経圧縮を回避し、それにより、光の感知された明るさを増大させるために、このように光を発する照明装置が必要とされている。
【０００５】
この背景情報は、本発明と関連する可能性があると出願人が考える情報を明らかにするために与えられる。先述の情報のうちいずれかが本発明に対する従来技術を構成すると理解されることは、必ずしも意図されるものではなく、また、そのように解釈されてもならない。
【発明の概要】
【０００６】
上述の内容を踏まえると、本発明の複数の実施形態は、生理神経圧縮が低減された光を生成するシステムに関する。システムは、第１の色に対応する第１の波長範囲内の光を発するように動作可能な第１の光源と、第２の色に対応する第２の波長範囲内の光を発するように動作可能な第２の光源とを含んでもよい。システムは、第１の光源及び第２の光源の各々と機能的に結合されるコントローラをさらに含んでもよい。第１の色は、第２の色の反対色であってもよい。さらに、コントローラは、第１の光源及び第２の光源のうちの１つを交互に動作させるように構成されてもよい。さらに、コントローラは、第１及び第２の光源の各々を、観察者の視覚皮質の応答時間より短いが、観察者の生理神経細胞の応答時間より長いデューティサイクルで、交互に動作させるように構成されてもよい。生理神経細胞は、複数の感光細胞及び物質と脳の視覚皮質との間における視覚的情報の感知、送信または変換に関連付けられた、または、何らかの形でこれらを容易にする、任意の生理的要素であってもよい。さらに、複数の光源の発する順序は、光の感知された明るさを変化させるように変更されてもよい。
【０００７】
本発明の他の実施形態は、生理神経圧縮が低減された光を生成するシステムに関し、主に複数の長錐状体細胞において応答を生成する光を発するように構成される第１の光源と、主に複数の中間錐状体細胞において応答を生成する光を発するように構成される第２の光源と、主に複数の短錐状体細胞において応答を生成する光を発するように構成される第３の光源と、を含む。システムは、第１の光源、第２の光源及び第３の光源の各々と機能的に結合されるコントローラをさらに含んでもよい。コントローラは、第１の光源、第２の光源及び第３の光源の少なくとも２つの組み合わせを、観察者の視覚皮質の応答時間より短いが、観察者の複数の生理神経細胞の応答時間より長いデューティサイクルで、交互に動作させるように構成されてもよい。
【０００８】
本発明の他の実施形態は、照明システムを用いて、生理神経圧縮が低減された光を発する方法を目的とし、当該システムは、主に複数の長錐状体細胞において応答を生成する光を発するように構成される第１の光源と、主に複数の中間錐状体細胞において応答を生成する光を発するように構成される第２の光源と、主に複数の短錐状体細胞において応答を生成する光を発するように構成される第３の光源と、第１の光源、第２の光源及び第３の光源の各々と機能的に結合されるコントローラと、を備える。方法は、第１の光源、第２の光源及び第３の光源のうちの１つを第１の期間にわたって動作させる第１の段階を含んでもよい。方法は、第１の光源、第２の光源及び第３の光源のうち、第１の期間の間に動作させられた光源と反対色の１つを、第２の期間にわたって動作させる段階を続けてもよい。第１の期間及び第２の期間の合計の間における経過時間は、視覚皮質の応答時間より短い。さらに、第１の期間及び第２の期間の各々の間における経過時間は、複数の生理神経細胞の応答時間より長い。
【図面の簡単な説明】
【０００９】
【図１】人間の複数の錐状体細胞の標準化された反応性スペクトルを示す。
【００１０】
【図２】本発明の実施形態に係るランプの斜視図である。
【００１１】
【図３】従来的な照明システムの感知された明るさと、本発明の感知された明るさとの対比を示す。
【００１２】
【図４】図２のランプの分解斜視図である。
【００１３】
【図５】本発明の実施形態の動作期間範囲を示す。
【００１４】
【図６】視覚的ディスプレイを有する表示装置を示す。
【図７】本発明の実施形態に係る生理神経圧縮が低減された光を発する方法を示すフローチャートである。
【００１５】
【図８】レイテンシ期間をさらに含む、図７の実施形態に係る光を発する方法を示すフローチャートである。
【００１６】
【図９】本発明の他の実施形態に係る生理神経圧縮が低減された光を発する方法を示すフローチャートである。
【００１７】
【図１０】レイテンシ期間をさらに含む、図９の実施形態に係る光を発する方法を示すフローチャートである。
【発明を実施するための形態】
【００１８】
ここで、本発明は、本発明の複数の好適な実施形態が示される複数の添付図面を参照して、以下、より十分に説明される。しかしながら、本発明は、多数の異なる形で具現され得るものであり、本明細書において説明される複数の実施形態に限定されるものとして解釈されてはならない。むしろ、これらの実施形態は、本開示が詳細かつ完全なものとなり、本発明の範囲を当業者に十分に伝えるように与えられる。当業者は、本発明の複数の実施形態の以下の説明が例示的なものであり、決して限定的であることを意図するものではないことを認識する。本発明の複数の他の実施形態は、本開示の利益を有するこのような当業者に対して、容易にこれら自体の示唆を与えることとなる。同様の複数の番号は、全体を通して、同様の複数の要素を指す。
【００１９】
以下の詳細な説明は、例示目的のために多くの具体例を含むが、当業者であれば誰でも、以下の複数の詳細に対する多くの変形及び変更が本発明の範囲内にあることを理解するであろう。従って、以下の本発明の複数の実施形態は、特許請求の範囲に記載された本発明の一般性を損なうことなく、かつ、これらに対して限定を加えることなく、説明されるものである。
【００２０】
本発明のこの詳細な説明において、当業者は、「上」、「下」、「より高い」、「より低い」及び複数の他の同様の用語のような方向に関する用語が、複数の図面を参照して、読者の便宜上用いられていることに留意すべきである。また、当業者は、本発明の複数の原理を逸脱することなく、位置、向き及び方向を伝えるために、説明が他の用語を含み得ることに注意すべきである。
【００２１】
さらに、当業者は、「ランプ」、「照明」、「電球」及び複数の他の同様の用語のような、照明システムについての説明が、複数の図面を参照して、読者の便宜上用いられることに留意すべきである。光を生成するシステムは、本発明の範囲内に含まれる。
【００２２】
本発明の実施形態は、様々な図及び添付の文章によって図示及び説明されるように、光を発する照明システムを与え、これは、照明システムによって発せられた光の感知された明るさが、光の観察者の生理神経細胞の生理神経圧縮によって低減されることを抑制するように構成される。照明システムは、複数の光受容細胞が応答する波長範囲に対応する波長範囲を有する光を交互に発することによって、生理神経圧縮を低減させる。より詳細には、照明システムは、長錐状体細胞、中間錐状体細胞及び短錐状体細胞のような複数の錐状体細胞の複数の応答波長範囲に対応する複数の波長範囲を有する光を交互に発するように構成されてもよい。いくつかの実施形態において、照明システムは、桿体細胞、及びメラノプシンを含む光の感知に関与する他の複数の生理的要素のような、複数の他の光受容細胞の複数の応答波長範囲に対応する複数の波長範囲を有する光を発するように構成されてもよい。さらに、いくつかの個体が、第４のタイプの錐状体細胞を有するものとして、つまり、４色視を有するものとして、特定されている。照明システムは、上述された複数の生理的要素のうちいずれか、及び将来発見されるあらゆる生理的要素が応答可能な波長範囲内の光を発するように構成されてもよい。さらに、照明システムは、複数の波長範囲内の光を発することを交互に行ってもよく、ここで、複数の発光要素は、観察者の視覚皮質の応答時間より短いが、複数の生理神経細胞の応答時間より長いデューティサイクルを有する。
【００２３】
ここで図１を参照すると、光の複数の波長のおおよその光受容吸光度のグラフが示される。グラフからわかるように、Ｓ錐状体細胞、すなわち小錐状体細胞は、概して青色光に対応する約４２０ナノメートルで、ピーク吸光性を有する。Ｍ錐状体細胞、すなわち中間錐状体細胞は、概して緑色光に対応する約５３４ナノメートルにおいて、ピーク吸光性を有する。Ｌ錐状体細胞、すなわち長錐状体細胞は、概して赤色光に対応する約５６４ナノメートルにおいて、ピーク吸光性を有する。上述されたように、生理神経圧縮は、２つまたはそれより多くのタイプの錐状体細胞が応答可能であり、かつ、吸光する光を、光の観察者の目の網膜の複数の生理神経細胞（ＰＣ）が感知した場合に生じる。ＰＣが２つまたはそれより多くのタイプの錐状体細胞から視覚的情報を受信した場合、ＰＣは、２つのタイプの錐状体細胞の各々によって個々に感知された光の明るさを圧縮しつつ、複数の錐状体細胞からの視覚的情報を解釈し、同時に、感知された色を決定する。明るさの圧縮は、ＰＣに、感知された色及び感知された明るさを含む視覚的情報を脳の視覚皮質に送信させ、ここで、感知された明るさは、２つのタイプの錐状体細胞の各々によって個々に感知された明るさの合計よりも小さい。
【００２４】
ここで図３を参照すると、２つまたはそれより多くのタイプの錐状体細胞によって主に吸光される複数の光波長を同時に含む多色光の感知された明るさは、以下の式によって近似され得る。
【数１】
0006320507.tif 000002
これは、プロット３１０によって表される。対照的に、本発明に係る照明システムの感知された明るさは、以下の式によって近似され得る。
【数２】
0006320507.tif 000003
これは、プロット３２０によって表される。プロット３２０の感知された明るさは、本発明に係る照明システムが、プロット３１０で表される従来的な照明システムの感知された明るさと同じものを、これより大幅に低い輝度で実現可能な態様を表し、これは、照明システムの発光素子による電力消費の低減をもたらす。さらに、感知された明るさのこのような増大は、照明システムが、より少ない発光素子を含み、このような照明システム製造における材料コストを低減させることを可能とし得る。さらに、発光素子の効率が温度上昇によって低減された複数のシステムにおいては、本発明に係る照明システムは、概して、従来的な照明システムより少ない熱を生成し、システムの電気効率をさらに向上させる。さらに、照明システムの発光素子の温度低減は、発光素子を長寿命化させる。
【００２５】
従って、本発明に係る照明システムは、主に単一のタイプの錐状体細胞によって吸光され、他の複数のタイプの錐状体細胞によっては概して吸光されず、または非常に低い割合でのみ吸光されるように構成される、概してモノクロ光を発するように構成される１つまたは複数の光源を含んでもよい。さらに、照明システムは、単一のタイプの錐状体細胞に関連付けられた吸光範囲に対応する波長範囲内の光を含む瞬間光を発するように構成されてもよい。照明システムは、一連の瞬間光を発するようにさらに構成されてもよく、ここで、一連の中の各瞬間光は、単一のタイプの錐状体細胞に関連付けられた吸光範囲に対応する波長範囲内にあるが、光に関連付けられたタイプの錐状体細胞は、一連の中の複数の瞬間光の間で変化する。さらに、瞬間光の期間は、複数のＰＣによって区別可能に感知され得るようなものであり、つまり、期間は、複数のＰＣの応答時間より長い。さらに、瞬間光の期間は、視覚皮質によって区別されずに感知され得るようなものであり、これにより、視覚皮質は、一連の中の連続的な瞬間光の色を混合する。つまり、期間は、視覚皮質の応答時間より短い。
【００２６】
ここで図２を参照すると、本発明の実施形態に係る照明システムが示される。本実施形態において、照明システムは、ランプ２００を含んでもよい。ランプ２００は、概して、電球の標準の形状に合致するように構成されてもよい。ランプ２００は、ベース２１０と、ヒートシンク２２０と、光学部材２３０とを含んでもよい。後述されるように、ランプ２００は、１つまたは複数の光源２４０と、生理神経圧縮が低減された光を生成するように構成される関連回路とを含んでもよい。
【００２７】
ベース２１０は、当技術分野において公知の任意のタイプの電球取付具であってもよく、限定されないが、エジソン、バイオネット、バイポスト、バイピン及び楔取付具を含む。さらに、ベース２１０は、様々なサイズ及び構成の上述された取付具に合致するように構成されてもよい。ベース２１０は、アルミニウムのような導電性材料で形成されてもよい。複数の代替的実施形態において、ベース２１０は、銀、銅、金、導電性合金等のような、他の導電性材料で形成されてもよい。複数の内部電線（図示せず）が、光ソケット（図示せず）との接触部として機能するために、ベース２１０に取り付けられてもよい。
【００２８】
ヒートシンク２２０は、ランプ２００の放熱性能を増大させるように構成されてもよい。従って、ヒートシンク２２０は、光源２４０及び関連回路のような、ランプ２００の任意の発熱要素と熱的に連通するように配置されてもよい。さらに、ヒートシンク２２０は、その放熱性能を向上させる複数の機能を含む形状となるように構成されてもよい。いくつかの実施形態において、ヒートシンク２２０は、ヒートシンクの表面積を増大させるために、複数のフィン２２２を含んでもよい。さらに、ヒートシンク２２０は、アルミニウム、銅、スチール、熱伝導性ポリマ等のような、任意の熱伝導性材料で形成されてもよい。
【００２９】
光学部材２３０は、光源２４０によって発せられた光が光学的チャンバに入るように、光学的チャンバを画定するように構成されてもよい。光学部材２３０は、光源２４０によって発せられた光が光学的チャンバを横断し、光学部材２３０を介してランプ２００の周囲環境へと伝達されるように配置されてもよい。光学部材２３０は、任意の形状または構成に形成されてもよい。さらに、光学部材２３０は、電球の標準化された形状と合致するように形成されてもよい。さらに、光学部材２３０は、光学的に透明または透光であるように構成されてもよい。いくつかの実施形態において、光学部材２３０は、その内容全体が参照により本明細書に組み込まれる、発明の名称を「Ｌｉｇｈｔ  Ｂｕｌｂ  Ｈａｖｉｎｇ  Ｗｉｄｅ  Ａｎｇｌｅ  Ｌｉｇｈｔ  Ｄｉｓｐｅｒｓｉｏｎ  Ｕｓｉｎｇ  Ｃｒｙｓｔａｌｌｉｎｅ  Ｍａｔｅｒｉａｌ」とする、２００４年８月９日に出願された米国特許第７,３１９,２９３号において説明されるような拡散技術を組み込むことによって、光拡散要素として動作するように構成されてもよい。さらに、いくつかの他の実施形態において、光学部材２３０は、光拡散プラスチックまたはポリマで形成されてもよく、光拡散コーティングを含んでもよく、または、取り付けられもしくは組み込まれた複数の拡散粒子を有してもよい。
【００３０】
光源２４０は、光を発するように構成される任意のデバイスであってもよい。光源２４０は、１つまたは複数の発光素子を含んでもよい。複数の発光素子は、発光半導体、白熱電球、ハロゲンランプ、ガスランプ、蛍光ランプを含む、発光可能な任意のデバイスであってもよい。本実施形態において、複数の発光素子は、発光半導体であってもよく、より詳細には、発光ダイオード（ＬＥＤ）であってもよい。
【００３１】
ここで図４に戻ると、ランプ２００の複数の内部コンポーネントを示すランプ２００の分解図が示される。図示されるように、上述された複数のコンポーネントに加えて、ランプ２００は、ハウジング２５０と、プリント回路ボード（ＰＣＢ）２６０と、複数のばねワイヤコネクタ２７０と、複数のネジ２８０と、ホルダ２９０とをさらに含んでもよい。
【００３２】
ＰＣＢ２６０は、複数の光源２４０の１つまたは複数にパワーを供給し、これらを駆動及び制御する専用回路を含んでもよい。ＰＣＢ２６０は、駆動回路とパワー回路とを含んでもよい。ＰＣＢ２６０上の回路は、複数の光源２４０にパワーを供給し、これらを駆動する手段として機能してもよい。一実施形態において、駆動回路は、複数の光源２４０の各々と機能的に結合されるコントローラを含むように構成されてもよい。一実施形態において、コントローラは、第１の光源２４０'及び第２の光源２４０''と機能的に結合されてもよい。コントローラは、複数の光源２４０が光を発するデューティサイクルを有するように、第１の光源２４０'及び第２の光源２４０''の各々を動作させるように構成されてもよい。さらに、コントローラは、生理神経圧縮を低減させるデューティサイクルを有する第１の光源２４０'及び第２の光源２４０''の各々を動作させるように構成されてもよい。
【００３３】
ここで図５を参照すると、本発明の実施形態に係る照明システムの動作期間を示すグラフ５００が示される。グラフ５００の第１のプロット５１０は、人間のＰＣ応答時間のおおよその分布である。ＰＣ応答時間は、概して、約２ミリ秒未満であってもよい。グラフ５００の第２のプロット５２０は、人間の視覚皮質応答時間のおおよその分布である。視覚皮質応答時間は、概して、少なくとも約２０ミリ秒とみなされてもよい。グラフ５００において、第１のプロット５１０及び第２のプロット５２０の各々の間に存在する領域は、個別の応答時間の各々の間の間隔を表す。この間隔は、要素５３０によって示され、本発明の実施形態に係る照明システムの動作期間範囲を画定する。動作期間範囲は、約２ミリ秒から約２０ミリ秒であってもよい。いくつかの実施形態において、動作期間は、約２０ミリ秒、約１６．６７ミリ秒、約１０ミリ秒、約８．３３ミリ秒、約６．６７ミリ秒、約５．５６ミリ秒、約５ミリ秒、約４．１７ミリ秒、約３．３３ミリ秒または約２．２２ミリ秒であってもよい。
【００３４】
動作期間範囲５３０に属する時間長にわたって第１の光を発する光源は、複数のＰＣによって個別に感知され、視覚皮質に送信される。第１の光は、例えば、錐状体細胞のような人間の光受容細胞が応答する波長範囲に対応する波長範囲を有する光であってもよい。さらに、動作期間範囲５３０に同様に属する時間長にわたって、それに続く第２の光を発する光源も、複数のＰＣによって個別に感知される。同様に、第２の光は、錐状体細胞のような人間の光受容細胞が応答する波長範囲に対応する波長範囲を有する光であってもよい。第２の光に応答する特定のタイプの光受容細胞は、本明細書で上述されたように、第１の光に応答する光受容細胞のタイプと異なってもよい。
【００３５】
第１の光及び第２の光が十分に高速で連続的に発せられた場合、各光は複数のＰＣによって個別に感知及び送信されるにも関わらず、視覚皮質は、複数の光を組み合わせられた態様で感知し、複数の光を組み合わせ光として感知する。組み合わせ光の複数の特性は、各々が色に対応する第１の光及び第２の光の各々の複数の波長が、組み合わせられてメタマーと機能的に等しいものを形成し得るようなものであってもよく、メタマーは、第１及び第２の光の各々の色のおおよそ混合、組み合わせまたは平均である明らかな色を有する。対照的に、単一のタイプの光受容細胞のみが、所与の時にアクティブとなるため、組み合わせ光の明るさは、複数のＰＣによって圧縮されない。従って、組み合わせ光の感知された明るさは、図３のプロット３２０によって近似されてもよく、これは、プロット３１０によって近似されるように、第１の光及び第２の光が同時に発せられる照明システムで感知された明るさの増大を表す。
【００３６】
ここで再び図４を参照すると、ＰＣＢ２６０の駆動回路のコントローラは、図５に表されるように動作期間範囲５３０内のデューティサイクルを有するように、複数の光源２４０を動作させるように構成されてもよい。より詳細には、コントローラは、動作期間範囲５３０内のデューティサイクルで、第１の光源２４０'を動作させるように構成されてもよい。さらに、第１の光源２４０'は、光受容細胞が応答可能な波長範囲に対応する波長範囲を有する光を発するように構成されてもよい。例えば、第１の光源２４０'は、概して緑色光に対応する波長範囲を有する光を発してもよい。従って、観察者の複数の中間錐状体細胞は、第１の光源２４０'によって発せられた光に応答してもよい。さらに、第２の光源２４０''は、概して青色光源に対応する波長範囲を有する光を発してもよい。従って、観察者の複数の小錐状体細胞は、第２の光源２４０''によって発せられた光に応答してもよい。
【００３７】
第１の光源２４０'及び第２の光源２４０''の各々が可視スペクトルの任意の色に対応する波長範囲を有する光を発してもよいことは、予期され、かつ、本発明の範囲内である。いくつかの実施形態において、複数の光源２４０は、モノクロ光を発するように構成されてもよい。いくつかのさらなる実施形態において、複数の光源２４０は、光受容細胞が応答可能な波長範囲に対応するモノクロ光を発するように構成されてもよい。いくつかのさらなる実施形態において、複数の光源２４０は、多色光を発するように構成されてもよい。さらに、複数の光源２４０は、光受容細胞が応答可能な波長範囲に対応する波長範囲を有する光の構成要素を含む多色光を発するように構成されてもよい。さらに、コントローラは、多色光を発するように構成される複数の光源２４０と機能的に結合され、これらは、コントローラが、複数の光源２４０を、光受容細胞が応答可能な波長範囲に対応する波長範囲を有する光を発するように、選択的に動作させてもよい。さらに、ランプ２００は、任意の数の光源２４０を含んでもよく、２つの光源２４０'、２４０''を含むランプ２００の描写は、例示に過ぎず、本発明の範囲を限定するものではないことが予期される。例えば、限定するものではないが、ランプ２００は、第３の光源（図示せず）を含んでもよく、ここで、第１の光源２４０'は、概して赤色光に対応する波長範囲のような、長いタイプの錐状体細胞のような第１の光受容細胞が応答可能な波長範囲に対応する波長範囲を有するモノクロ光を発するように構成される。さらに、第２の光源２４０''は、概して緑色光に対応する波長範囲のような、中間タイプの錐状体細胞のような第２の光受容細胞が応答可能な波長範囲に対応する波長範囲を有するモノクロ光を発するように構成されてもよい。またさらに、第３の光源は、概して青色光に対応する波長範囲のような、短いタイプの錐状体細胞のような第３の光受容細胞が応答可能な波長範囲に対応する波長範囲を有するモノクロ光を発するように構成されてもよい。コントローラは、第１の光源２４０'、第２の光源２４０''及び第３の光源の各々と機能的に結合されてもよく、これにより、動作期間範囲５３０内のデューティサイクルで、複数の光源２４０の各々を交互に動作させる。
【００３８】
さらに、いくつかの実施形態において、コントローラは、複数の光源２４０を選択的に動作させるように構成されてもよく、これにより、複数の光源２４０の各々によって、つまり、ランプ２００によって発せられた光の複数の特性を変更し、処理し、または、これらを他に変化させる。例えば、いくつかの実施形態において、コントローラは、複数の光源２４０によって発せられた光の平均照明強度を変化させてもよく、これにより、ランプ２００によって発せられた光の感知された明るさを変化させる。例えば、コントローラは、パルス幅変調（ＰＷＭ）を用いて、照明強度を最大照明強度より低減させるために、複数の光源２４０によって発せられた光の照明強度を概して低減させ、それにより、ランプ２００によって発せられた光の感知された明るさを低減させてもよい。さらに、ランプは、特定色の光源２４０が異なる色の他の光源２４０のデューティサイクルより大きくなるように、様々な光源２４０のデューティサイクルを変化させてもよく、それにより、ランプ２００によって発せられた光の感知された色に影響を与える。さらに、いくつかの実施形態において、複数の光源２４０は、複数の光源２４０の各々のデューティサイクルの第１の比率に従って動作させられる場合に、概して白色光を発するように構成されてもよく、かつ、赤色光源及び青色光源を含んでもよい。白色光は、それ自体に関連付けられた色温度を有してもよい。コントローラは、複数の他の光源２４０のデューティサイクルに対して赤色光源のデューティサイクルを増大させることによって、白色光の色温度を概して低減させるように構成されてもよい。さらに、コントローラは、複数の他の光源２４０のデューティサイクルに対して青色光源のデューティサイクルを増大させることによって、白色光の色温度を上昇させるように構成されてもよい。一実施形態において、複数のデューティサイクルの第１の比率は、約６０００ケルビンの色温度を有する白色光を生成してもよい。複数の他の実施形態において、複数のデューティサイクルの第１の比率は、約２０００ケルビン、約２５００ケルビン、約２７００ケルビン、約２８００ケルビン、約２９００ケルビン、約３０００ケルビン、約３１００ケルビン、約３２００ケルビン、約３３００ケルビン、約３３５０ケルビン、約３５００ケルビン、約４０００ケルビン、約４５００ケルビン、約５０００ケルビン、または約５５００ケルビンの色温度を有する白色光を生成してもよい。
【００３９】
続いて図４を参照すると、ＰＣＢ２６０は、少なくとも部分的にハウジング２５０及びヒートシンク２２０の各々の内部に配置され、かつ、これによって支持されるように構成されてもよい。さらに、ハウジング２５０は、少なくとも部分的にベース２１０及びヒートシンク２２０の各々の内部に配置され、かつ、これによって支持されるように構成されてもよい。ヒートシンク２２０は、それ自体における複数の光源２４０の配置を容易にするように構成されてもよい。さらに、ホルダ２９０は、ヒートシンク２２０と連携するように構成されてもよく、これにより、複数の光源２４０を固定し、複数の光源２４０がランプ２００の他の複数の要素に対して移動することを防止する。ヒートシンク２２０及びホルダ２９０の各々は、複数のネジ２８０と連携するように構成されてもよく、これにより、複数の光源２４０の固定をさらに容易にする。締結具、溶接、接着剤等を含む任意の固定装置が、複数の光源２４０の固定に利用可能であり、ヒートシンク２２０及びホルダ２９０の各々は、これらと連携されるように構成されてもよいことが予期される。複数のばねワイヤコネクタ２７０は、複数の光源２４０を、ＰＣＢ２６０及びその複数の構成要素と電気的に通信を行うように配置するように構成されてもよい。複数のばねワイヤコネクタ２７０は、ＰＣＢ２６０の回路と複数の光源２４０との間の電気的接続を容易にするように構成されてもよい。
【００４０】
他の複数の本発明の複数の実施形態において、特定の複数のタイプの光受容細胞が応答する光を発する方法は、ランプ、照明または他の従来的な照明装置以外の複数の照明装置に適用可能である。いくつかの実施形態において、異なる複数の色を有する光を発するように構成される装置は、ＰＣ圧縮を低減させた光を発するように構成されてもよい。このような複数の装置は、限定的ではないが、コンピュータ制御デバイスディスプレイ、ディスプレイアダプタ、プロジェクタ及び発光可能な任意の他の装置のような複数のディスプレイを含んでもよい。より詳細には、可視媒体を通して情報を伝達するために発光に依存する複数の装置は、本発明の範囲内に含まれる。さらに、本発明は、装置が、１つのタイプの光受容細胞が応答する色を有する光を発することが可能な限りにおいて、バックライト、エッジ照明または装置の明るさを増大させる任意の他の補助光源に依存する装置に用いられてもよい。
【００４１】
ここで図６を参照すると、上述された実施形態が示される。図６において、視覚的ディスプレイ６１０を有する表示装置６００が示される。視覚的ディスプレイ６１０は、当技術分野において公知の視覚的モードで情報を伝達する任意のタイプの表示装置であってもよく、限定されないが、液晶ディスプレイ、発光ダイオードディスプレイ、有機発光ダイオードディスプレイ、カソード光線チューブディスプレイ、エレクトロルミネセントディスプレイ、干渉モジュラーディスプレイ、表面伝導電子エミッタディスプレイ、量子ドットディスプレイ、カーボンナノチューブディスプレイ、レーザディスプレイ、デジタルマイクロミラーデバイスディスプレイ、プラズマディスプレイ、及び当技術分野において公知の任意の他のタイプのディスプレイを含む。説明のみの目的で、限定するものではないが、視覚的ディスプレイ６１０は、複数のピクセルを備える液晶ディスプレイであってもよく、各ピクセルは、光受容細胞が応答する波長範囲に対応する波長範囲内の光を発することが可能である。さらに、各ピクセルは、図５の要素５３０によって示される動作範囲内で、発光可能であってもよく、発光を終了してもよい。
【００４２】
表示装置６００は、視覚的ディスプレイ６１０の動作を制御するように構成される表示装置アダプタ６２０をさらに含んでもよい。本実施形態において、表示装置アダプタ６２０は、視覚的ディスプレイ６１０とは個別にかつこれから分離され、かつ、これと電気的に接続されるものとして示される。いくつかの実施形態において、視覚的ディスプレイ６１０及び表示装置アダプタ６２０は、単一の構造的要素に一体化され得ることが理解される。
【００４３】
表示装置アダプタ６２０は、視覚的ディスプレイ６１０の複数のピクセルの各々と通信を行い、かつ、これを選択的に動作させることが可能であってもよい。画像、ビデオまたは他の視覚的情報が表示装置アダプタ６２０によって受信された場合、表示装置アダプタ６２０は、反対色である色のような、受信された視覚的情報のどの部分が生理神経圧縮を受けるかを決定してもよい。ディスプレイアダプタは、次に、視覚的ディスプレイ６１０の関連する複数のピクセルを動作させてもよく、これにより、本明細書で上述されたように、かつ、後述されるように、２つまたはそれより多くの光受容細胞の応答波長範囲に関連付けられた波長を有する一連の２つまたはそれより多くの光を発する。視覚的ディスプレイ６１０によって発せられた光によって示された視覚的情報自体は、生理神経圧縮に起因して感知された明るさが低減させることなく、表示装置アダプタ６２０によって受信された情報を正確に表す。
【００４４】
ここで図７を参照すると、生理神経圧縮を低減させる光を発する照明装置を動作させる方法を示すフローチャートが示される。方法７００は、図３のプロット３２０によって示されたように、感知された明るさを有するように光を発する照明装置を動作させる方法を示す。方法は、ブロック７１０から開始する。ブロック７２０において、照明装置は、第１の期間にわたって第１の光を発してもよい。第１の光は、動作期間範囲に対応するデューティサイクルを有するように、図５の要素５３０によって説明されたように、第１の時間長にわたって動作させられてもよい。つまり、第１の光は、生理神経細胞の応答時間より長いが、視覚皮質の応答時間より短い時間長にわたって光を発してもよい。さらに、第１の光は、光受容細胞が応答可能な波長範囲に対応する複数の波長の範囲内の波長範囲を有するモノクロ光を発してもよい。
【００４５】
方法は、ブロック７３０に続いてもよく、ここで、照明装置は、第２の期間にわたって第２の光を発してもよい。同様に、第２の期間は、動作期間範囲に対応する時間長であってもよい。さらに、第２の光は、光受容細胞が応答可能な波長範囲に対応する複数の波長の範囲内の波長範囲を有するモノクロ光を発してもよい。いくつかの実施形態において、第２の光は、第１の光に応答する光受容細胞のタイプとは異なるタイプの光受容細胞において、応答させてもよい。
【００４６】
ブロック７４０において、照明装置は、光を発し続けるか否かを決定してもよい。この決定は、本明細書で上述されたランプ２００について説明されたように、コントローラを含み得る回路によって実行されてもよい。決定は、外部電源による照明装置への電力の継続的な受信に基づいてなされてもよい。複数の他の実施形態において、決定は、照明装置によって受信される通信に基づいてなされてもよい。このような複数の実施形態において、照明装置は、その内容全体が参照により本明細書に組み込まれる、発明の名称を「Ｗｉｒｅｌｅｓｓ  Ｐａｉｒｉｎｇ  Ｓｙｓｔｅｍ  ａｎｄ  Ａｓｓｏｃｉａｔｅｄ  Ｍｅｔｈｏｄｓ」とする２０１２年５月３日出願の米国特許出願第１３／４６３，０２０号において説明されるような、このような通信を実現するために必要な通信回路を含んでもよい。照明装置が発光し続けることが決定された場合、方法は、ブロック７２０に戻ってもよい。照明装置が発光を継続しないことがしないことが決定された場合、方法は、ブロック７５０において終了してもよい。
【００４７】
ここで図８を参照すると、図７に示された方法と同様の、生理神経圧縮を低減させる光を発する照明装置を動作させる方法８００を示すフローチャートが示される。図８の方法８００において、照明システムは、光源から順次発光される間にレイテンシ期間を含むように構成されてもよい。照明システムは、本明細書で上述されたように、照明装置であってもよい。レイテンシ期間は、照明システムの複数の光源がいずれも光を発するために動作させられない期間として特徴づけられてもよい。このようなレイテンシ期間を含む目的は、照明システムによって発せられた光の観察者のＰＣが、照明システムによってこれまでに発せられた光に関連する光の情報を視覚皮質に送信することを停止できるようにするためである。複数のＰＣの放電時間におおよそ対応する時間長、すなわち、レイテンシ期間がおおよそ等しくなるように構成され得る時間長が一度経過すると、照明装置は、それに続く光を発するように光源を動作させてもよい。複数のＰＣの放電時間は、概して、約５０ナノ秒とみなされてもよい。
【００４８】
方法８００は、ブロック８１０から開始してもよい。ブロック８２０において、照明装置は、第１の期間にわたって第１の光を発してもよい。第１の光は、本明細書で上述されたように、動作期間範囲に対応するデューティサイクルを有するように、第１の時間長にわたって動作させられてもよい。ブロック８３０において、照明装置は、次に、照明装置が照明装置のあらゆる光源を動作させないことにより照明装置に発光させないレイテンシ期間に入ってもよい。方法は、ブロック８４０に続いてもよく、ここで、照明装置は、第２の期間にわたって第２の光を発してもよい。同様に、第２の期間は、動作期間範囲に対応する時間長であってもよい。さらに、第２の光は、光受容細胞が応答可能な波長範囲に対応する複数の波長の範囲内の波長範囲を有するモノクロ光を発してもよい。いくつかの実施形態において、第２の光は、第１の光に応答する光受容細胞のタイプとは異なるタイプの光受容細胞において、応答させてもよい。
【００４９】
ブロック８５０において、照明装置は、光を発し続けるか否かを決定してもよい。この決定は、本明細書で上述されたランプ２００について説明されたように、コントローラを含み得る回路によって実行されてもよい。照明装置が発光し続けることが決定された場合、方法は、ブロック８６０に続いてもよく、ここで、照明装置は、他のレイテンシ期間に入ってもよい。ブロック８６０のレイテンシ期間は、ブロック８３０のレイテンシ期間におおよそ等しい。方法は、次に、ブロック８２０に戻ってもよい。しかしながら、ブロック８５０において、照明装置が発光を継続しないことが決定された場合、方法は、ブロック８７０において終了してもよい。
【００５０】
ここで図９を参照すると、生理神経圧縮を低減させる光を発する照明装置を動作させる方法９００を示すフローチャートが示される。本実施形態において、照明システムは、複数の第３の光源を含む照明装置であってもよい。複数の光源の各々は、光受容細胞が応答可能な波長範囲に対応する波長範囲内の光を発するように構成されてもよい。より詳細には、第１の光源は、複数の長いタイプの錐状体細胞が応答する波長範囲に対応する、概して赤色に対応する波長範囲を有する光を発するように構成されてもよく、第２の光源は、複数の中間タイプの錐状体細胞が応答する波長範囲に対応する、概して緑色に対応する波長範囲を有する光を発してもよく、第３の光源は、複数の短いタイプの錐状体細胞が応答する波長範囲に対応する、概して青色に対応する波長範囲を有する光を発してもよい。
【００５１】
方法９００は、ブロック９１０から開始してもよい。ブロック９２０において、照明装置は、第１の期間にわたって第１の光を発するように、第１の光源を動作させてもよい。第１の期間は、本明細書で上述されたように、動作期間範囲内であってもよい。方法は、次に、ブロック９３０に続いてもよく、ここで、照明装置は、第２の期間にわたって第２の光を発するように第２の光源を動作させてもよい。第２の期間は、同様に、本明細書で上述されたように動作期間内であってもよい。方法は、ブロック９４０に続いてもよく、ここで、照明装置は、第３の期間にわたって第３の光を発するように第３の光源を動作させてもよい。繰り返すと、第３の期間は、本明細書で上述されたように、動作期間内であってもよい。
【００５２】
さらに、第１の期間、第２の期間及び第３の期間の各々は、おおよそ等しくてもよく、または、異なりつつも、なお動作期間範囲内であってもよい。照明装置は、第１、第２及び第３の期間を選択的に変化させることにより、視覚皮質によって感知される光の色を変化させてもよく、ここで、期間が長いほど、感知された色は、期間に関連付けられた光の色とより密接に関連して見える。例えば、第１の期間が第２の期間及び第３の期間のいずれかよりも相対的に長い場合、本明細書で上述されたように、組み合わせ光は、より赤い色に見える。従って、組み合わせ光の色は、当技術分野において公知なように、複数の色の加算原理に従って制御可能である。
【００５３】
方法は、ブロック９５０に続いてもよく、ここで、照明装置は、光を発し続けるか否かを決定してもよい。この決定は、本明細書で上述されたランプ２００について説明されたように、コントローラを含み得る回路によって実行されてもよい。照明装置が発光し続けることが決定された場合、方法は、ブロック９２０に戻ることによって継続してもよい。しかしながら、照明装置が発光を継続しないことが決定された場合、方法は、ブロック９６０において終了してもよい。
【００５４】
ここで図１０を参照すると、図９に示された方法と同様の、生理神経圧縮を低減させる光を発する照明装置を動作させる方法１０００を示すフローチャートが示される。図１０の方法１０００において、照明システムは、複数の光源からのそれに続く発光の間にレイテンシ期間を含むように構成されてもよい。本実施形態の照明システムは、図９に示される実施形態のものと同様であってもよく、ここで、照明システムは、複数の第３の光源を含む照明装置であってもよい。複数の光源の各々は、光受容細胞が応答可能な波長範囲に対応する波長範囲内の光を発するように構成されてもよい。より詳細には、第１の光源は、複数の長いタイプの錐状体細胞が応答する波長範囲に対応する、概して赤色に対応する波長範囲を有する光を発するように構成されてもよく、第２の光源は、複数の中間タイプの錐状体細胞が応答する波長範囲に対応する、概して緑色に対応する波長範囲を有する光を発してもよく、第３の光源は、複数の短いタイプの錐状体細胞が応答する波長範囲に対応する、概して青色に対応する波長範囲を有する光を発してもよい。さらに、本実施形態の照明システムは、本明細書で上述されたように、具体的には、図８に示される実施形態で説明したように、複数の照明装置の各々の動作間にレイテンシ期間を含むように構成されてもよい。
【００５５】
方法１０００は、ブロック１０１０から開始してもよい。ブロック１０２０において、照明装置は、第１の期間にわたって第１の光を発するように、第１の光源を動作させてもよい。第１の期間は、本明細書で上述されたように、動作期間範囲内であってもよい。方法１０００は、次に、ブロック１０３０に続いてもよく、ここで、照明装置は、次に、照明装置が照明装置のあらゆる光源を動作させないことにより、照明装置に発光させないレイテンシ期間に入ってもよい。レイテンシ期間は、図８に示されるレイテンシ期間と同じように特徴づけられてもよい。方法１０００は、次に、ブロック１０４０に続いてもよく、ここで、照明装置は、第２の期間にわたって第２の光を発するように第２の光源を動作させてもよい。方法１０００は、ブロック１０５０に続いてもよく、ここで、照明装置は、他のレイテンシ期間に入る。方法１０００は、さらにブロック１０６０に続いてもよく、ここで、照明装置は、第３の期間にわたって第３の光を発するように、第３の光源を動作させてもよい。第１、第２及び第３の光の期間の各々は、本明細書で上述されたように、異なる長さであってもよい。
【００５６】
方法１０００は、ブロック１０７０に続いてもよく、ここで、照明装置は、光を発し続けるか否かを決定してもよい。この決定は、本明細書で上述されたランプ２００について説明されたように、コントローラを含み得る回路によって実行されてもよい。照明装置が発光し続けることが決定された場合、方法１０００は、ブロック１０８０に続いてもよく、ここで、照明装置は、他のレイテンシ期間に入ってもよい。方法１０００は、次に、ブロック１０２０に戻ってもよい。しかしながら、ブロック１０７０において、照明装置が発光を継続しないことが決定された場合、方法は、ブロック１０９０において終了してもよい。
【００５７】
本発明の例示的な複数の態様のうちのいくつかは、本明細書において説明された複数の問題及び説明されていないが当業者であれば発見可能な他の複数の問題を解決する際に有益たり得る。
【００５８】
上述の説明は十分な具体性を含むが、これらは、あらゆる実施形態の範囲に対する限定としてではなく、示されたこれらの複数の実施形態の例として解釈されるべきである。多くの他の派生及び変形が、様々な実施形態の教示内で可能である。本発明は、例示的な複数の実施形態を参照して説明されたが、当業者であれば、本発明の範囲を逸脱することなく、様々な変化を加えることが可能であり、これらの要素を均等物で置換可能であることが理解されよう。さらに、特定の状況または材料を本発明の教示に適合させるために、これらの必須範囲から逸脱することなく、多くの修正を加えることが可能である。従って、本発明は、本発明を実施するために予期される最良のまたは単なるモードとして開示された特定の実施形態に限定されるものではなく、本発明は、添付された特許請求の範囲の範囲に属する全実施形態を含むことが意図される。また、複数の図面及び説明において、例示的な本発明の複数の実施形態が開示されており、複数の具体的な用語が用いられているが、これらは、他に示されない限り、総括的及び記述的な意味でのみ用いられ、限定の目的ではなく、従って、本発明の範囲はこれらにより限定されるものではない。さらに、第１、第２などの用語を用いることは、順序または重要性を示すのではなく、むしろ、第１、第２などの用語は、１つの要素を他のものから区別するために用いられる。さらに、「ａ」、「ａｎ」などの用語を用いることは、量の限定を示すものではなく、むしろ、言及された事項の少なくとも１つが存在することを示すものである。
【００５９】
こうして、本発明の範囲は、所与の複数の例によってではなく、添付された特許請求の範囲及びこれらの法的な均等物によって決定されるべきである。
【図１】
0006320507.tif 000005
【図２】
0006320507.tif 000006
【図３】
0006320507.tif 000007
【図４】
0006320507.tif 000008
【図５】
0006320507.tif 000009
【図６】
0006320507.tif 000010
【図７】
0006320507.tif 000011
【図８】
0006320507.tif 000012
【図９】
0006320507.tif 000013
【図１０】
0006320507.tif 000014